(57)【要約】【課題】環境への悪影響がないというだけでなく、室内環境改善の機能を持たせる。【解決手段】  通気性を有する袋部材５と、袋部材５に収容されたセラミックスからなるおもり部材１０とから構成する。すなわち、セラミックスからなるおもり部材１０には、程度の差はあるものの表面の多数の微細な気孔（多孔質性）により臭い吸着性がある。従って、これを通気性を有する袋部材５に収容することにより、セラミックスによる臭い吸着性を袋部材５を介して発現させる。【選択図】図１
2005237565.tif 000002
【特許請求の範囲】
【請求項１】
通気性を有する袋部材と、前記袋部材に収容されたセラミックスからなるおもり部材とから構成されたカーテン用ウェイト。
【発明の詳細な説明】
【技術分野】
【０００１】
本発明は、カーテンをめくれにくく落ち着かせるためにカーテンに取り付けて使用するカーテン用ウェイトに関するものである。
【背景技術】
【０００２】
従来のこの種のカーテン用ウェイトは鉛よりなるものがほとんどである。鉛は比重が大きいためウェイトとして適しており、また柔らかいためカーテンの布地をいためにくいという利点もある。しかし、鉛には毒性があるので、製造時や廃棄時における環境への悪影響が懸念されていた。そのため、近年、鉛以外の材料よりなるウェイトが検討されている。例えば、特許文献１にはステンレス鋼を用いたウェイトが、特許文献２にはガラスやセラミックスを用いたウェイトがそれぞれ開示されている。これらの材料には毒性がないので、環境への悪影響はほとんどない。
【特許文献１】特開２００３−２４５１９３公報
【特許文献２】特開２００３−１０２６１５公報
【発明の開示】
【発明が解決しようとする課題】
【０００３】
ところが、上記特許文献１、２のウェイトは、環境への悪影響がないウェイトというだけで、それ以上の機能的な付加価値は特にない。例えば、特許文献１のウェイトは、ステンレス鋼製のウェイトを袋に収容しているが、それは鉛より遙かに硬いステンレス鋼がカーテンの布地をいためないように袋で保護するということにすぎず、同ウェイトがウェイト以外の機能を果たすわけではない。また、特許文献２には材料例示中の一つとしてセラミックスを用いることが開示されてはいるが、特許文献２のウェイトはセラミックス等よりなるビーズを紐で数珠つなぎにしたものをプラスチック管で包んでしまうものであり、製造が簡便になる利点はあるものの、やはり同ウェイトがウェイト以外の機能を果たすわけではない（例えばセラミックス特有の機能は発現されない）。
【０００４】
そこで、本発明の目的は、環境への悪影響がないというだけでなく、室内環境改善の機能を持たせることができるカーテン用ウェイトを提供することにある。
【課題を解決するための手段】
【０００５】
上記課題を解決するために、本発明のカーテン用ウェイトは、通気性を有する袋部材と、袋部材に収容されたセラミックスからなるおもり部材とから構成される。
【０００６】
セラミックスも前記ステンレス鋼と同じく鉛より硬くカーテンの布地をいためるおそれがあるので、本発明ではそれを袋部材に収容してカーテンに直接接しないようにすることにより、そのおそれを防いでいる。それだけでなく、本発明ではセラミックスを通気性を有する袋部材と組み合わせることにより、ウェイト以外の室内環境改善の機能を持たせる点が特徴である。
【０００７】
すなわち、セラミックスからなるおもり部材には、程度の差はあるものの表面の多数の微細な気孔（多孔質性）により臭い吸着性がある。従って、これを通気性を有する袋部材に収容することにより、セラミックスによる臭い吸着性を袋部材を介して発現させて、カーテン固有の臭いや室内の臭いを低減することができる。この臭い吸着性が高い点で、本発明におけるおもり部材は素焼き状態のセラミックスからなるものが最も好ましく、上塗剤を塗る場合もそれが少ないほど好ましい。また、臭い吸着性をさらに高めるためには、次のようにすることが好ましい。
（１）おもり部材の表面積を大きくして臭い吸着面積を大きくする。そのためには、おもり部材の表面に多数の突起、突条、波等による凹凸を設けたり、１つの体積が２０００ｍｍ３以下、より好ましくは１０００ｍｍ３以下にした小さいおもり部材の複数個を袋部材に収容したり、これらの態様を組み合わせたりすることが好ましい。
（２）おもり部材の多孔質性を高めて臭い吸着面積を大きくする。
（３）臭い吸着性の高いセラミックス材料を選定する。
【０００８】
また、セラミックスからなるおもり部材には、それ自体には芳香性はないが、芳香剤を含む性質及びそれを放出する性質があるので、芳香剤を含ませることにより芳香性を付加することが容易にできる。従って、この芳香性を付加したおもり部材を通気性を有する袋部材に収容することにより、芳香性を袋部材を介して発現させて、室内に好ましい香りを放出することができる。また、芳香性をさらに高めるためには、次のようにすることが好ましい。
（１）おもり部材の表面積を大きくして香り放出面積を大きくする。そのために好ましい態様は、前項の（１）と同様である。
（２）おもり部材の多孔質性を高めて香り放出面積を大きくする。
【０００９】
セラミックス材料は、特に限定されず、例えば各種金属の酸化物・窒化物・炭化物・ホウ化物・ケイ化物を用いることができるが、次のものが好ましい。
（１）前記のとおり臭い吸着性を高くする場合には、例えば二酸化チタン光触媒（アパタイト被覆したものを含む）を含むセラミックス材料が好ましい。臭いを吸着だけでなく光との協働で分解する機能を有する。
（２）ウェイト本来の重量を重視する場合には、小さい体積で所望の重量が得られる高比重のセラミックス材料が好ましい。すなわち、多くのセラミックスの比重は２．０〜２．２ｇ／ｃｍ３であるところ、アルミナ、ジルコンサンド、オリピンサンド、炭化ケイ素等の高比重成分の含有率を多くして、比重を２．３ｇ／ｃｍ３以上とした材料が好ましい。例えばアルミナの場合は含有率を７０重量％以上にするとよい。
【００１０】
おもり部材の寸法や数量は、特に限定されず、ウェイトとして必要な重量が得られるように適宜選択すればよいが、前記のとおり表面積を大きくする場合には小さいおもり部材を多数個使用することが好ましく、このことはおもり自身が割れにくい点でも好ましい。おもり部材の形状は、特に限定されず、棒状、粒状、球状、円盤状、板状等を例示することができるが、カーテンをいためにくくおもり自身も割れにくい点で、縁や角が丸みをおびたものが好ましい。
【００１１】
袋部材は、上記のとおりおもり部材による臭い吸着性や（芳香剤を含ませた場合の）芳香性を発現させるために、通気性を有する必要がある。この通気性は、袋部材の素材が有している通気性でも、袋部材に開けた多数の気孔による通気性でも、両者の組み合わせでもよい。通気性を有する素材としては、繊維間が粗な織布、不織布、紙等の繊維製素材を例示することができる。気孔を開けることが必要な素材としては、繊維間が密な繊維製素材や樹脂シート等を例示することができる。
【発明の効果】
【００１２】
以上詳述したように、本発明のカーテン用ウェイトによれば、環境への悪影響がないというだけでなく、室内環境改善の機能を持たせることができるという優れた効果を奏する。
【発明を実施するための最良の形態】
【００１３】
カーテン用ウェイトは、通気性を有する袋部材と、袋部材に収容されたセラミックスからなるおもり部材とから構成される。以下、本発明をカーテン用ウェイトに具体化した実施例１及び実施例２について、図面を参照して説明する。なお、実施例で示す材料、構成、数値等は例示であって、適宜変更できる。
【実施例１】
【００１４】
本発明の実施例１を図１及び図２に示す。カーテン２には、その左右端部が内側に折り返し縫製され、裾が上方に折り返し縫製されて裾部２ａとなり、その裾部２ａの左右端部に両端部２ｂが形成されている。本実施例１のカーテン用ウェイト１はその両端部２ｂの中に入れて使用される。このカーテン用ウェイト１は、通気性を有する袋部材５と、袋部材５に収容された素焼き状態のセラミックスからなる四つのおもり部材１０とから構成されている。
【００１５】
セラミックス材料は主としてアルミナ及び二酸化ケイ素であり、アルミナ成分の含有比率は約７０〜８０重量％、二酸化ケイ素成分の含有比率は約１５〜２５重量％である。この成分比で焼成された後のセラミックスは、比重が約２．３〜２．７ｇ／ｃｍ３である。一般的なセラミックスは、アルミナ成分の含有比率は約３０〜３５重量％、二酸化ケイ素成分の含有比率は約４０〜４５重量％であり、焼成された後の比重は約２．０〜２．２ｇ／ｃｍ３であり、本発明のおもり部材１０に用いるセラミックスは、比重を高くするために、二酸化ケイ素より分子量の大きいアルミナ成分を増加させた。また、アルミナ成分の含有量の少ないセラミックスの焼成温度は１２５０〜１３００℃であるのに対して、本実施例のアルミナ成分の含有量の多いセラミックスは１５００〜１６００℃で焼成した。
【００１６】
おもり部材１０の寸法形状は、長さ約３３ｍｍ、幅約８ｍｍ、厚さ約６ｍｍの細長い板状であり、片方の板面１０ａの周縁にアールがつけられており、体積は約１５００ｍｍ３である。このおもり部材１０を袋部材５内部に配置する際は、四つのおもり部材１０の膨らんだ一方側１０ａを同一方向に揃えると嵩張らずによい。
【００１７】
袋部材５の素材は、熱融着性材料であるポリエステル繊維の不織布である。この不織布は繊維間が粗であることに加えてニードルパンチによる気孔が追加されており十分な通気性を有している。袋部材５の寸法形状は、縦約９０ｍｍ、横約３０ｍｍの長方形である。この袋部材５は、約２倍の大きさの不織布が半分に折り重ねられ、三辺の端部は一定間隔をおいて破線状に熱融着された融着部位９にて接合され、その内部に４つのおもり部材１０を閉じ込めている。袋部材５内部のおもり部材１０の配置は、カーテン２の上下方向におもり部材１０の長さ方向を合わせて上下に二段にし、カーテン２の幅方向に２列になるように配置している。
【００１８】
以上のように設けられたカーテン用ウェイト１は、十分な重量であるため、カーテン２の裾部２ａをめくれにくく落ち着かせたり、ドレープをきれいにしたりといったウェイトとしての機能を果たすことができる。また、おもり部材１０の素材をセラミックスとすることで、製造時、使用時及び廃棄時の環境への悪影響がないだけでなく、使用時にカーテン固有の臭いや室内の臭いの除去機能を果たすことができ、室内環境改善の機能を持たせることができる。また、一つの大きな塊のおもり部材を使用するのではなく、約１５００ｍｍ３の小さい四つのおもり部材１０を使用することでウェイト全体の表面積を大きくして臭い吸着面積を大きくでき、臭い除去の効率を高めることができる。さらに、四つのおもり部材１０を使用することで、おもり部材１０の間でカーテン用ウェイト１が曲がることができるので、カーテン２の動きやドレープに追従しやすく、おもり部材１０が割れにくい。また、セラミックス製のカーテン用ウェイト１は金属製のカーテン用ウェイトに比べ安価とすることができる。
【実施例２】
【００１９】
次に、図３のカーテン用ウェイト３は実施例１と同様にカーテン２の両端部２ｂに使用されている。おもり部材１１は実施例１とは材料及び寸法形状は同等で、焼成後に芳香剤が含浸されていることが異なっている。袋部材６は、横方向の長さが僅かに短く約２５ｍｍであることだけが異なっており、袋部材６の内部に、カーテン２の上下方向におもり部材１１の長さ方向を合わせて上下に二段にして配置している。
【００２０】
以上のように設けられたカーテン用ウェイト３は、重量を軽く調整したものであり、おもり部材１１に芳香剤を含ませることにより、香りを放出させることができ、室内環境改善の機能を持たせることができる。
【００２１】
なお、本発明は実施例に限定されるものではなく、例えば以下のように、発明の趣旨から逸脱しない範囲で適宜変更して具体化することもできる。
【図面の簡単な説明】
【００２２】
【図１】本発明の実施例１に係るカーテン用ウェイトの使用状態を示す側面図である。
【図２】同カーテン用ウェイトの一部を破断した斜視図である。
【図３】本発明の実施例２に係るカーテン用ウェイトの斜視図である。
【符号の説明】
【００２３】
１、３    カーテン用ウェイト
２    カーテン
５、６    袋部材
１０、１１    おもり部材
【図１】
2005237565.tif 000003
【図２】
2005237565.tif 000004
【図３】
2005237565.tif 000005